(57)【特許請求の範囲】
【請求項１】
走行車両（２）にて畝（Ｒ）を跨いで走行しながら該畝（Ｒ）に被覆された農用膜体（Ｆ）を分断装置（４）により左右に分断し、分断された農用膜体（Ｆ）を走行車両（２）の後方位置において回収装置（３）によって畝（Ｒ）からはぎ取りつつ回収する農用膜体の回収機において、
前記分断装置（４）は、前記走行車両（２）の進行方向前側に備えられており、畝（Ｒ）上の作物（Ｋ）の左右一側で前記農用膜体（Ｆ）を分断する分断具（５）と、前記作物（Ｋ）の左右他側で且つ分断具（５）による分断位置（Ｐ）の後方近傍において、分断された農用膜体（Ｆ）の左右間隔を拡げるように該農用膜体（Ｆ）をガイドするガイド具（７）とを有しており、前記ガイド具（７）はその前端側が畝（Ｒ）上の農用膜体（Ｆ）の下側に入り込むように構成されていることを特徴とする農用膜体の回収機。
【請求項２】
前記分断装置（４）は、分断具（５）の左右外側近傍で前記農用膜体（Ｆ）を上から押さえる第１の押さえ具（６）を有していることを特徴とする請求項１に記載の農用膜体の回収機。
【請求項３】
前記ガイド具（７）の左右外側近傍に、分断された農用膜体（Ｆ）を上から押さえる第２の押さえ具（８）を備えていることを特徴とする請求項１又は２に記載の農用膜体の回収機。
【請求項４】
前記分断具（５）は、農用膜体（Ｆ）に形成された移植用の孔（Ｆａ）を通過して分断するように配置されていることを特徴とする請求項１〜３のいずれかに記載の農用膜体の回収機。
【発明の詳細な説明】
【０００１】
【発明の属する技術分野】
本発明は、畝に被覆された農用膜体（マルチフィルム）を畝からはぎ取りつつ回収する回収機に関するものである。
【０００２】
【従来の技術】
従来の農用膜体の回収機としては、例えば特開平９−１５４４１８号公報に記載のものがあり、この回収機は、トラクタの後部に３点リンクを介して装着され、畝に被覆された農用膜体を畝の左右中央で分断する回転カッタ状の分断具と、分断具により分断された農用膜体を左右個別にロール状に巻き取る左右一対の巻取体とを備えるものであった。
【０００３】
【発明が解決しようとする課題】
上記回収機では、トラクタの後部に分断具及び巻取体を備えていることから、農用膜体の巻き取りに先行してトラクタが畝を跨いでいく構成となっている。
【０００４】
そのため、農用膜体の回収の際に、たばこ等のように畝に背丈の高い茎（稈）が残った状態であるとトラクタ車体によって残稈を前方へなぎ倒したのちの回収処理となり、これでは、倒れた残杆が農用膜体を覆ってしまって確実に左右に分断できず、残稈が農用膜体に引っ掛かってはぎ取りが困難となり、残稈の引っ掛かりにより膜体を途中で引きちぎって回収作業を中断する等、効率を悪くしていた。
【０００５】
また、前記分断具による分断位置の近傍で膜体を押さえるものがないために、分断具の畝の突入により膜体が畝に埋め込まれて確実に分断できないという不都合も生じていた。
【０００６】
そこで、本発明は、畝に残った作物が走行車両によって倒される前に分断具によって確実に農用膜体を分断し、さらに、農用膜体の分断部位を左右に拡げることで倒れた作物が農用膜体に被さるのを防止することを目的とする。
【０００７】
また、本発明は、分断具の左右外側近傍で押さえ具により農用膜体を押さえることで農用膜体を作物と押さえ具との間で緊張状態として分断を容易なものとすることを目的とする。
【０００８】
【課題を解決するための手段】
本発明は、走行車両２にて畝Ｒを跨いで走行しながら該畝Ｒに被覆された農用膜体Ｆを分断装置４により左右に分断し、分断された農用膜体Ｆを畝Ｒからはぎ取りつつ回収する農用膜体の回収機において、上記目的を達成するために以下の技術的手段を講じている。
【０００９】
すなわち、前記分断装置４は、前記走行車両２の進行方向前側に備えられており、畝Ｒ上の作物Ｋの左右一側で前記農用膜体Ｆを分断する分断具５と、前記作物Ｋの左右他側で且つ分断具５による分断位置Ｐの後方近傍において、分断された農用膜体Ｆの左右間隔を拡げるように農用膜体Ｆをガイドするガイド具７とを有していることを特徴とするものである。
【００１０】
これによれば、走行車両２に先行して作物Ｋの左右一側で分断具５により農用膜体Ｆを確実に分断するとともに、作物Ｋの左右他側においてガイド具７によって分断された農用膜体Ｆの左右間隔を拡げ、そのあとで走行車両２により作物Ｋが倒れても該作物Ｋが分断された農用膜体Ｆを覆うようなことが少なくなる。
【００１１】
したがって、後工程の膜体はぎ取り作業も作物Ｋが引っ掛かることなく好適に行え、農用膜体Ｆの引きちぎれ等もなく確実に回収できるようになる。
【００１２】
なお、本発明でいう作物Ｋとは、収穫前の作物に限らず、たばこ等のように葉を収穫したのちに畝に残る茎（稈）等も含むものであり、特に背丈の高い残稈の倒れに対して本発明は有効なものとなる。
【００１３】
前記分断具５としては、直線状の刃面を有する固定のものであってもよいし、畝に突入して移動するときの抵抗で回転する円板状のものやモータ等により強制回転するものであってもよいが、農用膜体Ｆの引きづりや巻付きを防止する上で移動抵抗により回転する円板状のものとするのが好ましい。
【００１４】
また、本発明の分断装置４は、前記走行車両２の進行方向前側に備えられており、畝Ｒ上の作物Ｋの左右一側で前記農用膜体Ｆを分断する分断具５と、該分断具５の左右外側近傍で前記農用膜体Ｆを上から押さえる第１の押さえ具６とを有していることを特徴とするものである。
【００１５】
これによれば、上記と同様に、走行車両２に先行して農用膜体Ｆを確実に左右に分断するとともに、分断具５の左右外側で第１の押さえ具６により膜体Ｆを押さえることにより、作物Ｋと押さえ具６との間で膜体Ｆを緊張状態として分断が容易に行えるようになる。
【００１６】
さらに、本発明の分断装置４として、分断具５、ガイド具７及び第１押さえ具６の全てを備えることにより、上記の全ての作用効果が得られるものとなる。
【００１７】
前記ガイド具７の左右外側近傍に、分断された農用膜体Ｆの上から押さえる第２の押さえ具８を備えることにより、ガイド具７でガイドされた農用膜体Ｆを第２押さえ具８により上から押さえて畝上に保持し、これにより農用膜体Ｆがねじれてひも状となることなく畝Ｒ上に農用膜体Ｆが拡がった状態となり、後工程としての回収作業も好適に行えるようになる。
【００１８】
なお、前記第１，第２押さえ具６，８としては、農用膜体Ｆ上を転動するローラ状のものであってもよいし、膜体Ｆ上を滑走するソリ状（スキッド状）のものであってもよいが、農用膜体Ｆの引きづり等を防止するためにローラ状に形成するのが好ましい。
【００１９】
前記分断具５を、農用膜体Ｆに形成された移植用の孔Ｆａを通過して分断するように配置することにより、移植孔Ｆａを利用して農用膜体Ｆを容易に分断でき、さらに第１の押さえ具６により農用膜体Ｆを押さえている場合には、膜体Ｆの緊張により移植孔Ｆａを介して分断しやすい状態となる。
【００２０】
【発明の実施の形態】
以下本発明の実施の形態を図面を参照して説明する。
【００２１】
図９に示すように本発明に係る農用膜体Ｆの回収機１は、トラクタで例示する走行車両２に装着して用いるものであり、トラクタ２により畝を跨いだ状態で前進することで、畝Ｒに被覆された農用膜体Ｆを畝Ｒからはぎ取りつつ巻取体３Ａにより巻取回収する回収装置３をトラクタ２の後部に装着し、巻取回収に先行して農用膜体Ｆを左右に分断する分断装置４をトラクタ２の前部に装着している。
【００２２】
また、本実施形態では、たばこ等のように葉の収穫後、背丈の高い稈Ｋを残した状態の畝Ｒから農用膜体Ｆを巻取るものとしており、トラクタ２の前部に分断装置４を設けることで、トラクタ２によって残稈Ｋを倒す前に確実に農用膜体Ｆを分断できるようにしている。
【００２３】
前記分断装置４は、畝Ｒの略中央に或る残稈Ｋの左右一側で前記農用膜体Ｆを分断する分断具５と、該分断具５の左右外側近傍で農用膜体Ｆを上から押さえる第１の押さえ具６と、残稈Ｋの左右他側で分断された農用膜体Ｆの左右間隔を拡げるように左右他側の農用膜体Ｆをガイドするガイド具７と、前記ガイド具７の左右外側近傍で農用膜体Ｆを上から押さえる第２の押さえ具８と、を備えて構成されている。
【００２４】
そして、分断具５、第１の押さえ具６、ガイド具７、第２の押さえ具８は、装着フレーム９に一体として組み立てられ、１つのユニットとしてトラクタ２の前車軸フレーム２Ａに設けた取付台等に装着するものとしており、これによってトラクタ２への装着が容易に行えるとともに、各部品の配置寸法を適正に保つことができる。
【００２５】
前記装着フレーム９は、左右方向に長い板状の取付基板１０を有し、該取付基板１０には、上下左右４カ所の取付孔１１が形成され、該取付孔１１を介してボルト等の締結具１２により着脱自在にトラクタ２側に装着される。また、取付孔１１は左右方向の長孔状され、左右位置調整自在として分断装置４をトラクタ２に装着可能としている。
【００２６】
前記分断具５は、畝Ｒの略左右中央、すなわち、畝Ｒ上の残稈Ｋの左側近傍位置で農用膜体Ｆを左右に分断するものであり、本実施形態では、外周に多数の刃面５Ａを突出した円板状の回転カッターとされている。
【００２７】
また、分断具５は、図４に示すように前下がり傾斜姿勢とされた第１支持杆１３の下端部に支軸１４を介して回転自在に支持されており、該第１支持杆１３の上端は、取付基板１０の左端部に設けた左右一対の支持部材１５間に挟まれ、該支持部材１５及び第１支持杆１３を左右に貫通する枢支ピン１６によって上下揺動自在に支持されている。
【００２８】
支持部材１５の上下中途部には前方に突出する左右一対の支持腕１７が設けられ、該支持腕１７によって第１支持杆１３の長手方向中途部を挟むことで該第１の支持杆１３の左右方向の振れを防止している。
【００２９】
前記第１の押さえ具６は、前記分断具５の左右外側で農用膜体Ｆ上を転動し、分断具５よりも小径に形成されたローラにて構成され、前下がり傾斜姿勢とされた第２支持杆１８の下端に回転自在に支持されており、該第２支持杆１８の上部側は、前記第１支持杆１３の長手方向中途部にボルト締結具１９により固定され、前記分断具５及び第１押さえ具６を一体として枢支ピン１６回りに上下に揺動可能としている。
【００３０】
また、第１押さえ具６の下端は前記分断具５の下端よりも若干上側に配置され、第１押さえ具６を畝Ｒ上に接地した状態で分断具５を畝Ｒに突き刺すようになっており、この第１の押さえ具６は、分断具５の突刺量を設定するゲージ作用をなしている。また、分断具５は、トラクタ２の前進による畝Ｒとの間の抵抗で回転して農用膜体Ｆを分断するようになっている。
【００３１】
前記第１支持杆１３の長手方向中途部と前記支持部材１５の下部との間には引張りコイルバネよりなる付勢手段２０が架け渡され、前記支持腕１７の下側には第１支持杆１３の下方揺動を規制するストッパー２１を設けており、前記付勢手段２０により第１押さえ具６を農用膜体Ｆに押さえつける方向に付勢している。
【００３２】
そのため、畝Ｒ上の残稈Ｋと第１押さえ具６との間で農用膜体Ｆが緊張状態となり、これにより分断具５による分断が確実になされるようになっている。
【００３３】
また、第１押さえ具６は、分断具５による分断位置Ｐの後方近傍位置で接地しており、分断した農用膜体Ｆが畝Ｒ上からずり落ちるようなことがないように畝Ｒ上に保持する作用効果を奏し、農用膜体Ｆが拡がった状態を維持して後工程の巻取回収作業を確実に行えるようにしている。
【００３４】
図１に示すように、分断具５は、農用膜体Ｆに形成された移植用の孔Ｆａを通過しながら分断するようになっており、これによって分断がより容易に行え、第１押さえ具６により残稈Ｋとの間で農用膜体Ｆを緊張状態とすることで、移植用孔Ｆａを左右にのばした状態としてより膜体Ｆを分断しやすくしている。
【００３５】
なお、本実施形態では、第１押さえ具６が若干畝Ｒに沈み込むように付勢手段２０の付勢力が設定されており、これによって農用膜体Ｆをより緊張した状態とすることが可能であり、膜体Ｆの保持も確実なものとなる。
【００３６】
また、付勢手段を省略し、第１押さえ具６、分断具５等の自重により農用膜体Ｆを押さえつけることも可能である。
【００３７】
また、第１支持杆１３または第２支持杆１８にボルト締結具１９の挿通孔を複数組形成することで、第１支持杆１３に対する第２支持杆１８の固定位置を前後位置調整自在としてもよく、これにより分断具５に対する第１押さえ具６の前後位置を調整可能とするとともにゲージ高さも調整可能となる。
【００３８】
図３に示すように、前記分断具５及び第１押さえ具６は、支持部材１５により鉛直方向に対して左側に約１５°傾いた姿勢とされており、これによって残稈Ｋとの干渉をさけるために分断具５を畝Ｒ中心に対して左右に偏心したとしても、膜体Ｆの分断部位を可及的に畝Ｒ中心に近づけることが可能であり、これによって、農用膜体Ｆを略左右中央で切断して左右の巻取体３Ａにて均等に膜体Ｆを回収できるようになる。さらに、分断具５により畝Ｒ中の根部を切断可能とし、膜体Ｆ回収後の残稈Ｋの抜き取り作業を容易に行い得るようにしている。
【００３９】
また、第１押さえ具６も下端側を畝Ｒ中央に向けていることから、農用膜体Ｆの畝Ｒ上からのずり落ちを確実に防止している。
【００４０】
図４に示すように、前記分断具５の上方には、該分断具５の外周に略沿って前端及び後端を下側に屈曲させたカバー２３が設けられており、該カバー２３は、分断具５の刃面を周囲から保護するとともに、トラクタ２により前左方に倒された残稈Ｋが分断具５に接触して回転に抵抗を与えたり巻き込むことがないように保護している。
【００４１】
このカバー２３は、支軸１４に回動自在に設けられたステー２４の上端に固定されており、該ステー２４の上下中途部には、棒状のアーム２５の前端が枢結され、該アーム２５の後端部は、支持部材１５の上端から上方突設した突片２６の上端に枢結され、該アーム２５によりステー２４の立設姿勢が保持されている。
【００４２】
トラクタ２の移動時等、分断装置４を使用しない場合には、図４に２点鎖線で示すように、枢支ピン１６を介して第１支持杆１３を上方揺動することで、分断具５及び第１押さえ具６を上方退避可能であり、第１支持杆１３の上部側に形成した孔２７ａと、支持部材１５の上部に形成した孔２７ｂとを適合させるとともに図示しない固定ピンを両孔２７ａ、２７ｂに貫通することで上方退避状態を姿勢保持するようになっている。
【００４３】
そして、前記アーム２５、第１支持杆１３、ステー２４、突片２６及び支持部材１５によってリンクを構成しており、前記上方退避状態においてはカバー２３が分断具５の前斜め上方に配置されて、分断具５を前上側から保護し、トラクタ２の前進により分断具５が周囲に接触するのを防止している。
【００４４】
また、分断具５等を下げた状態において、前記アーム２５の前端は側面視でカバー２３と交差しており、左方に倒れた残稈Ｋがカバー２３と第１支持杆１３との隙間に侵入するのを防ぎ、これによっても残稈Ｋの巻き込み等を防止しているのである。更に、左方に倒れた残稈はアーム２５が障害となって完全に倒伏せず、これによりトラクタ車輪で残稈Ｋを踏みつけるようなことを防止している。
【００４５】
前記ガイド具７は、畝Ｒ上の残稈Ｋの右側、すなわち、残稈Ｋを挟んで分断具５の反対側に配置されており、図１に示すように、分断具５により左右に分断された農用膜体Ｆの右側のものを外側に寄せるようにガイドし、分断部位Ｔの左右間隔を拡げるものであり、これによってトラクタ車体２により前方に倒された残稈Ｋが分断後の農用膜体Ｆ上に被さるのを防止している。
【００４６】
図１，図２，図５及び図６に示すように、ガイド具７は、断面円形の棒材にて構成され、その前部に、前下がりで且つ左右内方に傾斜したガイド部２９を備え、該ガイド部２９の後端に上方に屈曲して延びる立設部３０を備え、該立設部３０の上端に後方へ屈曲して延びる被取付部３１を備えている。そして、被取付部３１が装着フレーム９の取付基板１０に取付部材３２を介して取付けられるようになっている。
【００４７】
前記ガイド部２９の前端は畝Ｒに突き刺した状態とされており、分断具５による分断位置Ｐの後方近傍で、ガイド部２９の前後中途部が農用膜体Ｆと接触してガイドするようにしており、前記ガイド部２９の先端は先細り状に形成されていて前進による土の抵抗を低減し、ガイド部２９を前下がり傾斜姿勢とすることで、畝Ｒ上面から農用膜体Ｆを若干浮かせて離しながら確実に農用膜体Ｆをガイドできるようにしている。
【００４８】
また、ガイド具７を断面円形の棒材により構成することで、農用膜体Ｆを引っ掛けて破ったり、引きずるようなことを防止している。
【００４９】
前記立設部３０は、ガイド部２９による農用膜体Ｆの浮き上がりを適度に制限して左右外側への案内を確実にするとともに、トラクタ車体２により右前方に倒された残稈Ｋを立設部３０の前進により前側に方向修正する修正手段としての作用も有している。
【００５０】
前記被取付部３１は、立設部３０を介して畝Ｒ上面より高い位置で前後方向に略水平状に配置されていることから、トラクタ車体２により右方に残稈Ｋが倒されても該残稈Ｋが被取付部３１上に乗ることで完全に倒伏せずにトラクタ車輪で踏みつけるようなことを防止し、更なるトラクタ車体２の前進により残稈Ｋが前向きに方向が変えられたときに該残稈Ｋが被取付部３１から立設部３０に移り、該立設部３０の前記方向修正手段としての作用で農用膜体Ｆに被さるのを防止するようになっている。
【００５１】
前記取付部材３２は、左右２枚の板材を重ね合わせて構成されており、内板３３と外板３４とが上下のボルト締結具３５により連結され、外板３４の外面には前後方向の保持筒３６が設けられるとともに該保持筒３６にガイド具７の被取付部３１が前後移動自在に挿通され、ボルト等の固定手段３７によってガイド具７の前後位置を調整自在として保持筒３６に固定するようにしている。
【００５２】
ボルト締結具３５が挿通する外板３４上部のボルト孔３８ａは、下側のボルト孔３８ｂを中心とする円弧状長孔に形成されていて、内板３３と外板３４との角度が調整自在とされ、この角度調整によってガイド具７先端の上下高さを調整可能としている。
【００５３】
前記内板３３の上部には、左方向へ突出する回動軸３９が固定され、一方、取付基板１０の右上端には左右方向の保持筒４０が固定され、回動軸３９を保持筒４０内に抜止した状態で回動自在に挿通している。
【００５４】
また、取付基板１０の左端部には、前上方へ向けて突出状に固定板４１を設けており、この固定板４１の下部と内板にはそれぞれ挿通孔４２ａ、４３が形成され、両挿通孔４２ａ、４３を介して固定ピン４４を挿通することで内外板３３，３４の回動軸３９回りの回動を規制している。
【００５５】
また、固定ピン４４を外して外板３４を前上方に回動するとともに、固定板４１上部の挿通孔４２ｂと、外板の前記挿通孔４３とを適合して前記固定ピン４４を挿通することにより回動状態の姿勢を保持可能とし、トラクタ移動時等のガイド具７の不使用時に該ガイド具７を畝Ｒから離して上方退避するようにしている。
【００５６】
前記第２押さえ具８は、ガイド具７の右側近傍でガイド部２９よりも後方に配置されており、本実施形態では、畝Ｒ上面を転動するローラ状に形成されている。また、第２押さえ具８は、前傾姿勢の支持アーム４６の下端に回動自在に支持され、該支持アーム４６の上端は、前記被取付部３１の前後中途部から下方に突出した突片４７に上下揺動自在に枢支されている。
【００５７】
前記支持アーム４６の上下中途部と、被取付部３１の前部側との間には引張りコイルバネよりなる付勢部材４８が設けられ、前記突片４７には支持アーム４６の前方揺動を規制するストッパ４９が設けられており、前記付勢部材４８により第２押さえ具８を畝Ｒ上面に押さえつけるように付勢している。
【００５８】
そして、第２押さえ具８は、ガイド具７によりガイドされた右側の農用膜体Ｆの内端縁近傍を押さえて畝Ｒ上から膜体Ｆがずり落ちるのを防止し、右側の農用膜体Ｆを拡がった状態で維持して後方の巻取体３Ａによって好適に巻取り回収できるようになっている。
【００５９】
なお、第２押さえ具８はガイド具７に取り付けられていることから、不使用時にガイド具７と一体として上方退避可能としている。また、付勢部材４８を備えることで農用膜体Ｆの押さえつけを確実なものとしているが、第２押さえ具８の自重により農用膜体Ｆを押さえるように構成してもよく、第１押さえ具６と同様に、下端側を畝中央に向けた傾斜姿勢としてもよい。
【００６０】
図７〜図９に示すように、前記回収装置３は、トラクタ２後部の３点リンクで例示するリンク装着装置５１を介して装着されるようになっており、該３点リンク５１に連結される正面視門型を呈する主フレーム５２と、該主フレーム５２から後方へ水平状に延びる縦フレーム５３と、縦フレーム５３の後端から左右外側へ延びる横フレーム５４と、該横フレーム５４の左右中央部と主フレーム５２の頂部とを連結するトップマスト５５とにより主枠を構成している。
【００６１】
前記横フレーム５４の後部左右中央には後方へ突出する架台５６を設けており、該架台５６には伝動ボックス５７が搭載され、該伝動ボックス５７の上部には横軸５８を介して左右方向の軸心回りに回転する左右一対の巻取体３Ａを備え、伝動ボックス５７の下部側面に設けた伝動モータ５９からの動力がボックス５７内の伝動手段を介して横軸５８に伝達され、巻取体３Ａを巻取方向に強制駆動可能としている。
【００６２】
前記巻取体３Ａは、円盤状のドラム６０に左右外方に突出する一対の巻取棒６１を着脱自在に取付け、巻取棒６１の先端に、一対の間隔を保つ連結部材６２を着脱自在に設けて構成されおり、一対の巻取棒６１によりロール状に巻き取った農用膜体Ｆを、膜体Ｆのみ又は巻取棒６１ごと取外し可能となっている。
【００６３】
前記横フレーム５４の左右端及び架台５６の左右中央には、後方へ突出するブラケット６３が設けられており、該ブラケット６３の間に左右一対の案内ローラ６４が左右方向の軸心回りに回転時自在に設けられており、該案内ローラ６４は巻取体３Ａの後下方に配置されている。
【００６４】
前記横フレーム５４の左右両側には、ボルト締結手段６５を介して左右方向に摺動又は固定自在に取付ボックス６７を外嵌しており、該取付ボックス６７には、下方に延伸する支持杆６８をボルト固定している。
【００６５】
該支持杆６８の下端部には略弾丸形状の埋込部材６９が前下がり傾斜状に設けられ、埋込部材６９の後部には水平板状のゲージ板７０が設けられ、支持杆６８の下部には左右内方で斜め下方に延びる切り起こし部材７１を設けている。
【００６６】
なお、支持杆６８は取付ボックス６７に対し複数のボルト孔６８ａにより上下位置を調整自在に備えており、これにより埋込部材６９、ゲージ板７０、切り起こし部材７１の高さを調整自在とし、取付ボックス６７を横フレーム５４に対して左右摺動することで畝Ｒ幅に合わせて埋込部材６９等の左右間隔を調整自在としている。
【００６７】
前記支持杆６８の上下中途部には、前下がり傾斜姿勢の取付脚７２の上端がボルト固定されており、該取付脚７２の下端には左右内方に突出する作用具７３を備えている。
【００６８】
この作用具７３は、農用膜体Ｆの左右外端縁の下側に埋め込まれており、該左右端縁を畝Ｒの溝底からめくりあげると共に端縁上の覆土Ｎを取り除く役目をなす。
【００６９】
なお、前記取付脚７２においても支持杆６８に対して複数のボルト孔６８ｂにより上下位置調整自在としており、作用具７３の高さを調整できるようにしている。
【００７０】
上記回収装置３は、トラクタ２の前方において左右に分断された農用膜体Ｆの外端縁を作用具７３により覆土Ｎを取り除きながら捲り上げ、後上方の案内ローラ６４によって膜体Ｆを緊張気味としながら膜体Ｆを畝Ｒ上からはぎ取り、更に前上方の巻取体３Ａに農用膜体Ｆを案内しながら巻取棒６１にロール状に回収するようにしている。
【００７１】
この際、前記分断装置４において分断した左右農用膜体Ｆの間隔がガイド具７により拡げられていることから、残稈Ｋが膜体Ｆを覆うことなく好適に畝Ｒ上からはぎ取ることが可能であり、更に、分断された農用膜体Ｆの左右内端縁を第１、第２押さえ具６，８によって押さえて畝Ｒ上に保持していることから、該膜体Ｆがねじれるようなことなく拡がった状態を維持し、これにより確実にロール状として巻取体３Ａに巻き付けることが可能となっている。
【００７２】
また、前記切り起こし部材７１は、膜体Ｆはぎ取り後の畝Ｒの左右側面に侵入して畝Ｒをほぐし、後工程としての残稈Ｋ除去処理を容易に行い得るようにしており、前記埋込部材６９は、その前端部を畝Ｒの裾野に突入して切り起こし部材７１の浮き上がりを防止し、ゲージ部材７０は畝Ｒ溝面に接地することによって切り起こし部材７１の高さを設定するようにしている。
【００７３】
本発明は上記実施形態に限ることなく適宜設計変更可能であり、例えば、第１、第２押さえ具としてはローラ状とするにかぎらずソリ状としてもよく、分断具としては、モータにより強制回転するものや、直線状の刃面を有する矩形状のカッターとしてもよい。
【００７４】
また、分断具及び第１押さえ具と、ガイド具及び第２押さえ具との配置を残稈を挟んで左右逆としてもよい。
【００７５】
そして、前記分断装置及び回収装置を走行車両の前部にこの順で前後に並べて設けることも可能であり、走行車両の後部に回収装置を設け、更にその後部に分断装置を設けて走行車両を後進することで回収作業を行うことも可能である。
【００７６】
【発明の効果】
以上詳述したように、本発明によれば、走行車両に先行して農用膜体を分断することにより畝上の作物が倒れ込んで農用膜体に被さる前に確実に分断できるとともに、分断された農用膜体の左右間隔をガイド具により拡げることによって作物が分断した農用膜体を覆うようなことを防止できる。
【００７７】
また、分離具の左右外側に第１押さえ具を備えることで、作物と第１押さえ具との間で膜体を緊張して分断具による分断をより容易に行えるようになる。
【図面の簡単な説明】
【図１】本発明の実施形態にかかる分断装置を示す概略平面図である。
【図２】分断装置の正面図である。
【図３】分断具及び第１押さえ具を示す拡大正面図である。
【図４】同左側面図である。
【図５】ガイド具及び第２押さえ具を示す拡大正面図である。
【図６】同右側面図である。
【図７】回収装置の側面図である。
【図８】回収装置の背面図である。
【図９】本発明にかかる回収機をトラクタに装着した状態を示す側面図である。
【符号の説明】
１    回収機
２    走行車両
３    回収装置
４    分断装置
５    分断具
６    第１押さえ具
７    ガイド具
８    第２押さえ具
Ｒ    畝
Ｆ    農用膜体
Ｋ    残稈（作物）
【図１】
0003643490.tif 000002
【図２】
0003643490.tif 000003
【図３】
0003643490.tif 000004
【図４】
0003643490.tif 000005
【図５】
0003643490.tif 000006
【図６】
0003643490.tif 000007
【図７】
0003643490.tif 000008
【図８】
0003643490.tif 000009
【図９】
0003643490.tif 000010